(57)【要約】【課題】本発明は、常に多数の通行者の目にとまる位置に広告付き足拭きマットを移動設置することで宣伝効果を向上することができる足拭きマットを広告媒体とした広告方法を提供する。【解決手段】足拭きマットの製造及びレンタルを行う足拭きマット事業体Ａと、足拭きマット事業体Ａとの契約により足拭きマットに広告を掲載する広告主Ｂと、足拭きマット事業体Ａとの契約により広告が掲載された各種広告付き足拭きマットＭを設置する場所を提供する設置場所提供者Ｃとの関係において、足拭きマット事業体Ａが、広告主Ｂからの依頼により製造及びレンタル契約した所定数の足拭きマットに広告を掲載して、設置場所提供者Ｃの提供する設置場所における時期的利用者の多くなる時期に応じて選択的に移動設置し、広告付き足拭きマットＭの設置期間に応じた対価を足拭きマット事業体Ａが設置場所提供者Ｃに支払うようにした。【選択図】    図１
2004170846.tif 000002
【特許請求の範囲】
【請求項１】
足拭きマットの製造及びレンタルを行う足拭きマット事業体Ａと、該足拭きマット事業体Ａとの契約により上記足拭きマットに広告を掲載する広告主Ｂと、上記足拭きマット事業体Ａとの契約により広告が掲載された各種広告付き足拭きマットＭを設置する場所を提供する設置場所提供者Ｃとの関係において、
上記足拭きマット事業体Ａは、上記広告主Ｂからの依頼により、製造及びレンタル契約した所定数の足拭きマットに広告を掲載し、該広告付き足拭きマットＭを上記設置場所提供者Ｃの提供する設置場所における時期的利用者の多くなる時期に応じて選択的に移動設置し、上記広告付き足拭きマットＭの設置期間に応じた対価を上記足拭きマット事業体Ａが上記設置場所提供者Ｃに支払うようにしたことを特徴とする足拭きマットを広告媒体とした広告方法。
【請求項２】
足拭きマットを製造及びレンタルを行う足拭きマット事業体Ａと、該足拭きマット事業体Ａとの契約により製造及びレンタルされた足拭きマットを設置する場所を提供する設置場所提供者Ｃと、該設置場所提供者Ｃとの契約により上記足拭きマットに広告を掲載する広告主Ｂとの関係において、
上記広告主Ｂは、上記設置場所提供者Ｃからの依頼により、足拭きマット事業体Ａが製造及びレンタルした所定数の足拭きマットに広告を掲載し、該広告付き足拭きマットＭを上記設置場所提供者Ｃの提供する設置場所における時期的利用者の多くなる時期に応じて選択的に移動設置し、上記広告付き足拭きマットＭの設置期間に応じた対価を上記広告主Ｂが上記設置場所提供者Ｃに支払うようにしたことを特徴とする足拭きマットを広告媒体とした広告方法。
【請求項３】
上記足拭きマットに掲載される広告は、全て異なる内容であって、これら異なる広告付き足拭きマットＭを上記設置場所提供者Ｃの提供する複数の設置場所に定期的に循環移動するようにした請求項１または２に記載の足拭きマットを広告媒体とした広告方法。
【請求項４】
上記足拭きマットに掲載される広告は、視認可能な一方向の向きに配置され、上記足拭きマットの広告の視認可能な向きが多数の通行者が通行する流れに対応するよう、その時期に応じて移動設置するようにした請求項１または２に記載の足拭きマットを広告媒体とした広告方法。
【発明の詳細な説明】
【０００１】
【発明の属する技術分野】
本発明は、足拭きマットの製造及びレンタルを行う足拭きマット事業体と、上記足拭きマットに広告を掲載する広告主と、広告付き足拭きマットを設置する場所を提供する設置場所提供者間の関係における足拭きマットを広告媒体とした広告方法に関する。
【０００２】
【従来の技術】
この種の広告媒体として使用される足拭きマットを建物や事務所などの入口に配置し、この足拭きマットに付された広告の広告料を適正に顧客に分配するために、各足拭きマットに踏力が加わったことを電気的に検出して信号を出力する検出部を設け、この検出部から出力された信号をもとに、各足拭きマットの踏付け回数または踏付け人数に応じて、足拭きマットに付された広告の広告料を、各足拭きマットにそれぞれ分配する管理部を備えたシステムが知られている（特許文献１参照）。
【０００３】
【特許文献１】
特開２００２−２５１２４４号公報（段落００１２〜００１４、図１）
【０００４】
【発明が解決しようとする課題】
ところで、上記のようなシステムでは、広告が付された足拭きマットが建物や事務所などの特定された入口に設置されているため利用者数が制限されて宣伝効果があまり期待出来ない問題を有すると同時に、足拭きマット上を通過する人数を把握するために電気的に検出する検出部が設けられていることから検出部の使用頻度に限界が生ずる問題を有していた。
【０００５】
従って、本発明の目的とする所は、常に多数の通行者の目にとまる位置に広告付き足拭きマットを移動設置することで宣伝効果を向上することができる足拭きマットを広告媒体とした広告方法を提供することを目的とする。
【０００６】
【課題を解決する為の手段】
上記目的を達成するために、本発明は次の技術的手段を有する。即ち、実施の形態に対応する添付図面に使用した符号を用いて説明すると、足拭きマットの製造及びレンタルを行う足拭きマット事業体Ａと、該足拭きマット事業体Ａとの契約により上記足拭きマットに広告を掲載する広告主Ｂと、上記足拭きマット事業体Ａとの契約により広告が掲載された各種広告付き足拭きマットＭを設置する場所を提供する設置場所提供者Ｃとの関係において、上記足拭きマット事業体Ａは、上記広告主Ｂからの依頼により、製造及びレンタル契約した所定数の足拭きマットに広告を掲載し、該広告付き足拭きマットＭを上記設置場所提供者Ｃの提供する設置場所における時期的利用者の多くなる時期に応じて選択的に移動設置し、上記広告付き足拭きマットＭの設置期間に応じた対価を上記足拭きマット事業体Ａが上記設置場所提供者Ｃに支払うようにしたことを特徴とする足拭きマットを広告媒体とした広告方法である。
従って、上記足拭きマット事業体Ａが、広告主Ｂとの契約により広告が掲載された各種広告付き足拭きマットＭを、設置場所提供者Ｃの提供する設置場所における時期的利用者の多くなる時期に応じて選択的に移動設置することで、宣伝効果を向上することができる。
【０００７】
また本発明は、足拭きマットを製造及びレンタルを行う足拭きマット事業体Ａと、該足拭きマット事業体Ａとの契約により製造及びレンタルされた足拭きマットを設置する場所を提供する設置場所提供者Ｃと、該設置場所提供者Ｃとの契約により上記足拭きマットに広告を掲載する広告主Ｂとの関係において、上記広告主Ｂは、上記設置場所提供者Ｃからの依頼により、足拭きマット事業体Ａが製造及びレンタルした所定数の足拭きマットに広告を掲載し、該広告付き足拭きマットＭを上記設置場所提供者Ｃの提供する設置場所における時期的利用者の多くなる時期に応じて選択的に移動設置し、上記広告付き足拭きマットＭの設置期間に応じた対価を上記広告主Ｂが上記設置場所提供者Ｃに支払うようにしたことを特徴とする足拭きマットを広告媒体とした広告方法である。
従って、広告主Ｂが、設置場所提供者Ｃからの依頼により足拭きマット事業体Ａとの契約により製造及びレンタルされた足拭きマットに広告を掲載し、該広告付き足拭きマットＭを上記設置場所提供者Ｃの提供する設置場所における時期的利用者の多くなる時期に応じて選択的に移動設置することで、宣伝効果を向上することができる。
【０００８】
また本発明は、上記足拭きマットに掲載される広告が、全て異なる内容であって、これら異なる広告付き足拭きマットＭを上記設置場所提供者Ｃの提供する複数の設置場所に定期的に循環移動するようにした足拭きマットを広告媒体とした広告方法である。
従って、異なる内容の広告付き足拭きマットＭを複数の設置場所に定期的に循環移動することで、異なる広告内容でも多数の通行者の目にとめることができる。
【０００９】
また本発明は、上記足拭きマットに掲載される広告が、視認可能な一方向の向きに配置され、上記足拭きマットの広告の視認可能な向きが多数の通行者が通行する流れに対応するよう、その時期に応じて移動設置するようにした足拭きマットを広告媒体とした広告方法である。
従って、上記足拭きマットに掲載される視認可能な広告が一方向の向きに配置されている場合でも、視認可能な向きを、多数の通行者が通行する流れに対応するよう、その時期に応じて移動設置することで、広告内容が多数の通行者に判り易くなり宣伝効果を向上することができる。
【００１０】
【発明の実施の形態】
以下、本発明の実施形態を添付図面に基づき詳細に説明する。図１は本発明の一実施形態に係る足拭きマットを広告媒体とする広告方法の説明図である。
【００１１】
図１に示す広告方法は、足拭きマットの製造及びレンタルを行う足拭きマット事業体Ａと、この足拭きマット事業体Ａとの契約により足拭きマットに広告を掲載する広告主Ｂと、上記足拭きマット事業体Ａとの契約により広告が掲載された各種広告付き足拭きマットＭを設置する場所を提供する設置場所提供者Ｃの３者間で行なわれる。
【００１２】
先ず、上記足拭きマット事業体Ａは、広告主Ｂとの契約により製造およびレンタルされた所定数の足拭きマットに広告を掲載し、更に、設置場所提供者Ｃとの契約により広告が掲載された所定数の足拭きマットＭを上記設置場所提供者Ｃの提供する設置場所における時期的利用者の多くなる時期に応じて、選択的に移動設置する。そこで、設置場所提供者Ｃには、足拭きマット事業体Ａから広告付き足拭きマットＭを設置した期間に応じた対価が支払われる。
【００１３】
このように足拭きマット事業体Ａが、広告主Ｂとの契約により広告が掲載された各種広告付き足拭きマットＭを設置場所提供者Ｃの提供する設置場所に、時期的利用者の多くなる時期に応じて選択的に移動設置することで、宣伝効果を向上することができる。
【００１４】
次に、足拭きマットの移動設置方法に付き説明する。図３は異なる内容の足拭きマットを複数の設置場所に定期的に循環移動する設置方法の説明図である。
【００１５】
図３に示す足拭きマットの設置場所は、例えば鉄道の駅構内であって、駅出入口における東口、南口、西口ないし北口に、それぞれ全て異なる内容の広告が掲載された足拭きマットＭ１、Ｍ２、Ｍ３ないしＭ４が設置され、これら広告付き足拭きマットＭ１〜Ｍ４は、足拭きマット事業体Ａによって上記駅構内の東口〜北口の設置場所に矢印方向（時計廻り）に定期的に循環して移動設置される。
【００１６】
従って、上記のように、異なる内容の広告付き足拭きマットＭ１〜Ｍ４を複数の設置場所に定期的に循環移動することで、異なる広告内容でも多数の通行者の目にとめることができる。
【００１７】
また、足拭きマットの他の移動設置方法に付き説明する。図５の（Ａ）、（Ｂ）は、視認可能な一方向の向きに広告が掲載された広告付き足拭きマットを通行者の流れに対応して設置した状態を示す説明図である。
【００１８】
足拭きマットに掲載される広告によっては、方向によって視認が困難な文字、図形などがあり、本実施形態では、広告付き足拭きマットＭを、広告の内容が容易に理解できる視認可能な向きになるよう、通行者の流れに対応するよう多数の通行者が通行する時期に応じて向きを反転するようにしたものである。
【００１９】
従って、足拭きマットに掲載される広告が一方向の向きに配置されている場合でも、視認可能な向きを多数の通行者が通行する流れに対応するようその時期に応じて移動設置することで、広告内容が多数の通行者に判り易くなり宣伝効果を向上することができる。
【００２０】
次ぎに、足拭きマットを広告媒体とする広告方法をビジネスモデル化した実施形態に付き説明する。図４は、足拭きマットを広告媒体とする広告方法をビジネスモデル化したシステム図である。
【００２１】
足拭きマット事業体Ａの端末（例えばパーソナルコンピュータ）ＰＣ１、広告主Ｂの端末ＰＣ２及び設置場所提供者Ｃの端末ＰＣ３は、それぞれインターネットを介して接続されており、これら３者は契約により会員登録されたＩＤをもっている。
【００２２】
広告主Ｂは、端末ＰＣ２よりインターネットを介して足拭きマット事業体Ａの端末ＰＣ１にアクセスし、所定数の足拭きマットの生産と、これらの足拭きマットへ所定内容の広告の掲載を依頼する。
【００２３】
足拭きマット事業体Ａは、広告主ＢのＩＤを確認すると、マット工場へ注文を出して所定数の足拭きマットを生産すると共に、生産された所定数の足拭きマットに所定内容の広告を掲載する。
【００２４】
一方において、足拭きマット事業体Ａは、端末ＰＣ１よりインターネットを介して設置場所提供者Ｃの端末ＰＣ３にアクセスして、所定数の広告付き足拭きマットＭを所定の設置場所に所定期間設置を依頼する。
【００２５】
設置場所提供者Ｃは、足拭きマット事業体ＡのＩＤを確認した上で、設置場所を提供し、足拭きマット事業体Ａは広告付き足拭きマットＭを提供された設置場所に設置する。
【００２６】
広告付き足拭きマットＭの移動は、移動業者として契約により会員登録されたＩＤを所有する代理店などが行ない、移動業者が所定の場所に新たに設置した時点および移動した時点、並びに設置期間が満了になった時点で、例えば移動業者の携帯端末ＰＢよりインターネットを介して設置場所ならびに時間がリアルタイムで上記３者の端末に送信される。上記に於いては、代理店等がマットＭの移動を行う例を示したが、代理店等からの情報を受けたマット事業体Ａ自体がマットＭを移動してもよい。
【００２７】
広告付き足拭きマットＭの設置期間が満了になると、その設置期間に応じた対価が足拭きマット事業体Ａから設置場所提供者Ｃに支払われる。
【００２８】
次ぎに、本発明の他の実施形態に係る足拭きマットを広告媒体とする広告方法に付き図２を参照して説明する。図２は他の実施形態に係る足拭きマットを広告媒体とする広告方法の説明図である。
【００２９】
図２に示す広告方法は、足拭きマットを製造及びレンタルを行う足拭きマット事業体Ａと、この足拭きマット事業体Ａとの契約により製造及びレンタルされた足拭きマットを設置する場所を提供する設置場所提供者Ｃと、この設置場所提供者Ｃとの契約により足拭きマットに広告を掲載する広告主Ｂの３者間で行なわれる。
【００３０】
先ず、上記広告主Ｂは、設置場所提供者Ｃからの依頼により、この設置場所提供者Ｃとの契約で製造およびレンタルされた所定数の足拭きマットに広告を掲載し、更に、この広告付き足拭きマットＭを設置場所提供者Ｃの提供する設置場所における時期的利用者の多くなる時期に応じて、選択的に移動設置する。そこで、設置場所提供者Ｃには、広告主Ｂから広告付き足拭きマットＭの設置期間に応じた対価が支払われる。
【００３１】
このように広告主Ｂが、設置場所提供者Ｃからの依頼により、この設置場所提供者Ｃとの契約で製造およびレンタルされた所定数の足拭きマットに広告を掲載し、この広告付き足拭きマットＭを設置場所提供者Ｃの提供する設置場所に、時期的利用者の多くなる時期に応じて選択的に移動設置することで、宣伝効果を向上することができる。
【００３２】
【発明の効果】
以上詳述した如く、本発明によると次の様な効果を奏する。
【００３３】
即ち、請求項１によると、足拭きマット事業体が、広告主との契約により広告が掲載された各種広告付き足拭きマットを、設置場所提供者の提供する設置場所における時期的利用者の多くなる時期に応じて選択的に移動設置することで、宣伝効果を向上することができる。
【００３４】
また、請求項２によると、広告主が、設置場所提供者からの依頼により足拭きマット事業体との契約により製造及びレンタルされた足拭きマットに広告を掲載し、該広告付き足拭きマットを上記設置場所提供者の提供する設置場所における時期的利用者の多くなる時期に応じて選択的に移動設置することで、宣伝効果を向上することができる。
【００３５】
また、請求項３によると、異なる内容の広告付き足拭きマットを複数の設置場所に定期的に循環移動することで、異なる広告内容でも多数の通行者の目にとめることができる。
【００３６】
また、請求項４によると、上記足拭きマットに掲載される視認可能な広告が一方向の向きに配置されている場合でも、視認可能な向きを、多数の通行者が通行する流れに対応するよう、その時期に応じて移動設置することで、広告内容が多数の通行者に判り易くなり宣伝効果を向上することができる。
【図面の簡単な説明】
【図１】本発明の一実施形態に係る足拭きマットを広告媒体とする広告方法の説明図である。
【図２】本発明の他の実施形態に係る足拭きマットを広告媒体とする広告方法の説明図である。
【図３】異なる内容の足拭きマットを複数の設置場所に定期的に循環移動する設置方法の説明図である。
【図４】足拭きマットを広告媒体とする広告方法をビジネスモデル化したシステム図である。
【図５】（Ａ）、（Ｂ）は、視認可能な一方向の向きに広告が掲載された広告付き足拭きマットを通行者の流れに対応して設置した状態を示す説明図である。
【符号の説明】
Ａ                足拭きマット事業体
Ｂ                広告主
Ｃ                設置場所提供者
Ｍ                広告付き足拭きマット
Ｍ１〜Ｍ４        広告付き足拭きマット
ＰＢ              携帯端末
ＰＣ１〜ＰＣ      端末
【図１】
2004170846.tif 000003
【図２】
2004170846.tif 000004
【図３】
2004170846.tif 000005
【図４】
2004170846.tif 000006
【図５】
2004170846.tif 000007
【手続補正書】
【提出日】平成15年10月28日(2003.10.28)
【手続補正１】
【補正対象書類名】明細書
【補正対象項目名】全文
【補正方法】変更
【補正の内容】
【特許請求の範囲】
【請求項１】足拭きマットの製造及びレンタルを行う足拭きマット事業体Ａと、該足拭きマット事業体Ａとの契約により上記足拭きマットに広告を掲載する広告主Ｂと、上記足拭きマット事業体Ａとの契約により広告が掲載された各種広告付き足拭きマットＭを設置する場所を提供する設置場所提供者Ｃとの関係において、
上記足拭きマット事業体Ａは、上記広告主Ｂからの依頼により、製造及びレンタル契約した所定数の足拭きマットに広告を掲載し、該広告付き足拭きマットＭを上記設置場所提供者Ｃの提供する設置場所に選択的に移動設置するようにしたことを特徴とする足拭きマットを広告媒体とした広告方法。
【請求項２】足拭きマットを製造及びレンタルを行う足拭きマット事業体Ａと、該足拭きマット事業体Ａとの契約により製造及びレンタルされた足拭きマットを設置する場所を提供する設置場所提供者Ｃと、該設置場所提供者Ｃとの契約により上記足拭きマットに広告を掲載する広告主Ｂとの関係において、
上記広告主Ｂは、上記設置場所提供者Ｃからの依頼により、足拭きマット事業体Ａが製造及びレンタルした所定数の足拭きマットに広告を掲載し、該広告付き足拭きマットＭを上記設置場所提供者Ｃの提供する設置場所に選択的に移動設置するようにしたことを特徴とする足拭きマットを広告媒体とした広告方法。
【請求項３】上記足拭きマットに掲載される広告は、全て異なる内容であって、これら異なる広告付き足拭きマットＭを上記設置場所提供者Ｃの提供する複数の設置場所に定期的に循環移動するようにした請求項１または２に記載の足拭きマットを広告媒体とした広告方法。
【請求項４】上記足拭きマットに掲載される広告は、視認可能な一方向の向きに配置され、上記足拭きマットの広告の視認可能な向きが多数の通行者が通行する流れに対応するよう、その時期に応じて移動設置するようにした請求項１または２に記載の足拭きマットを広告媒体とした広告方法。
【発明の詳細な説明】
【０００１】
【発明の属する技術分野】
本発明は、足拭きマットの製造及びレンタルを行う足拭きマット事業体と、上記足拭きマットに広告を掲載する広告主と、広告付き足拭きマットを設置する場所を提供する設置場所提供者間の関係における足拭きマットを広告媒体とした広告方法に関する。
【０００２】
【従来の技術】
この種の広告媒体として使用される足拭きマットを建物や事務所などの入口に配置し、この足拭きマットに付された広告の広告料を適正に顧客に分配するために、各足拭きマットに踏力が加わったことを電気的に検出して信号を出力する検出部を設け、この検出部から出力された信号をもとに、各足拭きマットの踏付け回数または踏付け人数に応じて、足拭きマットに付された広告の広告料を、各足拭きマットにそれぞれ分配する管理部を備えたシステムが知られている（特許文献１参照）。
【０００３】
【特許文献１】
特開２００２−２５１２４４号公報（段落００１２〜００１４、図１）
【０００４】
【発明が解決しようとする課題】
ところで、上記のようなシステムでは、広告が付された足拭きマットが建物や事務所などの特定された入口に設置されているため利用者数が制限されて宣伝効果があまり期待出来ない問題を有すると同時に、足拭きマット上を通過する人数を把握するために電気的に検出する検出部が設けられていることから検出部の使用頻度に限界が生ずる問題を有していた。
【０００５】
従って、本発明の目的とする所は、
広告付き足拭きマットを選択的に移動設置することで常に多数の通行者の目にとまるようにし、宣伝効果を向上することができる足拭きマットを広告媒体とした広告方法を提供することを目的とする。
【０００６】
【課題を解決する為の手段】
上記目的を達成するために、本発明は次の技術的手段を有する。即ち、実施の形態に対応する添付図面に使用した符号を用いて説明すると、足拭きマットの製造及びレンタルを行う足拭きマット事業体Ａと、該足拭きマット事業体Ａとの契約により上記足拭きマットに広告を掲載する広告主Ｂと、上記足拭きマット事業体Ａとの契約により広告が掲載された各種広告付き足拭きマットＭを設置する場所を提供する設置場所提供者Ｃとの関係において、上記足拭きマット事業体Ａは、上記広告主Ｂからの依頼により、製造及びレンタル契約した所定数の足拭きマットに広告を掲載し、該広告付き足拭きマットＭを上記設置場所提供者Ｃの提供する設置場所に選択的に移動設置するようにしたことを特徴とする足拭きマットを広告媒体とした広告方法である。
従って、上記足拭きマット事業体Ａが、広告主Ｂとの契約により広告が掲載された各種広告付き足拭きマットＭを、設置場所提供者Ｃの提供する設置場所に選択的に移動設置することで、宣伝効果を向上することができる。
【０００７】
また本発明は、足拭きマットを製造及びレンタルを行う足拭きマット事業体Ａと、該足拭きマット事業体Ａとの契約により製造及びレンタルされた足拭きマットを設置する場所を提供する設置場所提供者Ｃと、該設置場所提供者Ｃとの契約により上記足拭きマットに広告を掲載する広告主Ｂとの関係において、上記広告主Ｂは、上記設置場所提供者Ｃからの依頼により、足拭きマット事業体Ａが製造及びレンタルした所定数の足拭きマットに広告を掲載し、該広告付き足拭きマットＭを上記設置場所提供者Ｃの提供する設置場所に選択的に移動設置するようにしたことを特徴とする足拭きマットを広告媒体とした広告方法である。
従って、広告主Ｂが、設置場所提供者Ｃからの依頼により足拭きマット事業体Ａとの契約により製造及びレンタルされた足拭きマットに広告を掲載し、該広告付き足拭きマットＭを上記設置場所提供者Ｃの提供する設置場所に選択的に移動設置することで、宣伝効果を向上することができる。
【０００８】
また本発明は、上記足拭きマットに掲載される広告が、全て異なる内容であって、これら異なる広告付き足拭きマットＭを上記設置場所提供者Ｃの提供する複数の設置場所に定期的に循環移動するようにした足拭きマットを広告媒体とした広告方法である。
従って、異なる内容の広告付き足拭きマットＭを複数の設置場所に定期的に循環移動することで、異なる広告内容でも多数の通行者の目にとめることができる。
【０００９】
また本発明は、上記足拭きマットに掲載される広告が、視認可能な一方向の向きに配置され、上記足拭きマットの広告の視認可能な向きが多数の通行者が通行する流れに対応するよう、その時期に応じて移動設置するようにした足拭きマットを広告媒体とした広告方法である。
従って、上記足拭きマットに掲載される視認可能な広告が一方向の向きに配置されている場合でも、視認可能な向きを、多数の通行者が通行する流れに対応するよう、その時期に応じて移動設置することで、広告内容が多数の通行者に判り易くなり宣伝効果を向上することができる。
【００１０】
【発明の実施の形態】
以下、本発明の実施形態を添付図面に基づき詳細に説明する。図１は本発明の一実施形態に係る足拭きマットを広告媒体とする広告方法の説明図である。
【００１１】
図１に示す広告方法は、足拭きマットの製造及びレンタルを行う足拭きマット事業体Ａと、この足拭きマット事業体Ａとの契約により足拭きマットに広告を掲載する広告主Ｂと、上記足拭きマット事業体Ａとの契約により広告が掲載された各種広告付き足拭きマットＭを設置する場所を提供する設置場所提供者Ｃの３者間で行なわれる。
【００１２】
先ず、上記足拭きマット事業体Ａは、広告主Ｂとの契約により製造およびレンタルされた所定数の足拭きマットに広告を掲載し、更に、設置場所提供者Ｃとの契約により広告が掲載された所定数の足拭きマットＭを上記設置場所提供者Ｃの提供する設置場所に選択的に移動設置する。この場合、時期的に利用者の多くなる場所に選択的に移動する等が採られる。そして、設置場所提供者Ｃには、足拭きマット事業体Ａから広告付き足拭きマットＭを設置した期間に応じた対価が支払われる。
【００１３】
このように足拭きマット事業体Ａが、広告主Ｂとの契約により広告が掲載された各種広告付き足拭きマットＭを設置場所提供者Ｃの提供する設置場所に、選択的に移動設置することで、時期的利用者の多くなる時期に応じて移動する等できるから宣伝効果を向上することができる。
【００１４】
次に、足拭きマットの選択的移動設置方法に付き説明する。図３は異なる内容の足拭きマットを複数の設置場所に定期的に循環移動する設置方法の説明図である。
【００１５】
図３に示す足拭きマットの設置場所は、例えば鉄道の駅構内であって、駅出入口における東口、南口、西口ないし北口に、それぞれ全て異なる内容の広告が掲載された足拭きマットＭ１、Ｍ２、Ｍ３ないしＭ４が設置され、これら広告付き足拭きマットＭ１〜Ｍ４は、足拭きマット事業体Ａによって上記駅構内の東口〜北口の設置場所に矢印方向（時計廻り）に定期的に循環して移動設置される。
【００１６】
従って、上記のように、異なる内容の広告付き足拭きマットＭ１〜Ｍ４を複数の設置場所に定期的に循環移動することで、異なる広告内容でも多数の通行者の目にとめることができる。
【００１７】
また、足拭きマットの他の選択的移動設置方法に付き説明する。図５の（Ａ）、（Ｂ）は、視認可能な一方向の向きに広告が掲載された広告付き足拭きマットを通行者の流れに対応して設置した状態を示す説明図である。
【００１８】
足拭きマットに掲載される広告によっては、方向によって視認が困難な文字、図形などがあり、本実施形態では、広告付き足拭きマットＭを、広告の内容が容易に理解できる視認可能な向きになるよう、通行者の流れに対応するよう多数の通行者が通行する時期に応じて向きを反転するようにしたものである。
【００１９】
従って、足拭きマットに掲載される広告が一方向の向きに配置されている場合でも、視認可能な向きを多数の通行者が通行する流れに対応するようその時期に応じて移動設置することで、広告内容が多数の通行者に判り易くなり宣伝効果を向上することができる。
【００２０】
次ぎに、足拭きマットを広告媒体とする広告方法をビジネスモデル化した実施形態に付き説明する。図４は、足拭きマットを広告媒体とする広告方法をビジネスモデル化したシステム図である。
【００２１】
足拭きマット事業体Ａの端末（例えばパーソナルコンピュータ）ＰＣ１、広告主Ｂの端末ＰＣ２及び設置場所提供者Ｃの端末ＰＣ３は、それぞれインターネットを介して接続されており、これら３者は契約により会員登録されたＩＤをもっている。
【００２２】
広告主Ｂは、端末ＰＣ２よりインターネットを介して足拭きマット事業体Ａの端末ＰＣ１にアクセスし、所定数の足拭きマットの生産と、これらの足拭きマットへ所定内容の広告の掲載を依頼する。
【００２３】
足拭きマット事業体Ａは、広告主ＢのＩＤを確認すると、マット工場へ注文を出して所定数の足拭きマットを生産すると共に、生産された所定数の足拭きマットに所定内容の広告を掲載する。
【００２４】
一方において、足拭きマット事業体Ａは、端末ＰＣ１よりインターネットを介して設置場所提供者Ｃの端末ＰＣ３にアクセスして、所定数の広告付き足拭きマットＭを所定の設置場所に所定期間設置を依頼する。
【００２５】
設置場所提供者Ｃは、足拭きマット事業体ＡのＩＤを確認した上で、設置場所を提供し、足拭きマット事業体Ａは広告付き足拭きマットＭを提供された設置場所に設置する。
【００２６】
広告付き足拭きマットＭの移動は、移動業者として契約により会員登録されたＩＤを所有する代理店などが行ない、移動業者が所定の場所に新たに設置した時点および移動した時点、並びに設置期間が満了になった時点で、例えば移動業者の携帯端末ＰＢよりインターネットを介して設置場所ならびに時間がリアルタイムで上記３者の端末に送信される。上記に於いては、代理店等がマットＭの移動を行う例を示したが、代理店等からの情報を受けたマット事業体Ａ自体がマットＭを移動してもよい。
【００２７】
広告付き足拭きマットＭの設置期間が満了になると、その設置期間に応じた対価が足拭きマット事業体Ａから設置場所提供者Ｃに支払われる。
【００２８】
次ぎに、本発明の他の実施形態に係る足拭きマットを広告媒体とする広告方法に付き図２を参照して説明する。図２は他の実施形態に係る足拭きマットを広告媒体とする広告方法の説明図である。
【００２９】
図２に示す広告方法は、足拭きマットを製造及びレンタルを行う足拭きマット事業体Ａと、この足拭きマット事業体Ａとの契約により製造及びレンタルされた足拭きマットを設置する場所を提供する設置場所提供者Ｃと、この設置場所提供者Ｃとの契約により足拭きマットに広告を掲載する広告主Ｂの３者間で行なわれる。
【００３０】
先ず、上記広告主Ｂは、設置場所提供者Ｃからの依頼により、この設置場所提供者Ｃとの契約で製造およびレンタルされた所定数の足拭きマットに広告を掲載し、更に、この広告付き足拭きマットＭを設置場所提供者Ｃの提供する設置場所における時期的利用者の多くなる時期等に応じて、選択的に移動設置する。そこで、設置場所提供者Ｃには、広告主Ｂから広告付き足拭きマットＭの設置期間に応じた対価が支払われる。
【００３１】
このように広告主Ｂが、設置場所提供者Ｃからの依頼により、この設置場所提供者Ｃとの契約で製造およびレンタルされた所定数の足拭きマットに広告を掲載し、この広告付き足拭きマットＭを設置場所提供者Ｃの提供する設置場所に、時期的利用者の多くなる時期に応じて等選択的に移動設置することで、宣伝効果を向上することができる。
【００３２】
【発明の効果】
以上詳述した如く、本発明によると次の様な効果を奏する。
【００３３】
即ち、請求項１によると、足拭きマット事業体が、広告主との契約により広告が掲載された各種広告付き足拭きマットを選択的に移動設置することで、宣伝効果を向上することができる。
【００３４】
また、請求項２によると、広告主が、設置場所提供者からの依頼により足拭きマット事業体との契約により製造及びレンタルされた足拭きマットに広告を掲載し、該広告付き足拭きマットを上記設置場所提供者の提供する設置場所に選択的に移動設置することで、宣伝効果を向上することができる。
【００３５】
また、請求項３によると、異なる内容の広告付き足拭きマットを複数の設置場所に定期的に循環移動することで、異なる広告内容でも多数の通行者の目にとめることができる。
【００３６】
また、請求項４によると、上記足拭きマットに掲載される視認可能な広告が一方向の向きに配置されている場合でも、視認可能な向きを、多数の通行者が通行する流れに対応するよう、その時期に応じて移動設置することで、広告内容が多数の通行者に判り易くなり宣伝効果を向上することができる。
【図面の簡単な説明】
【図１】本発明の一実施形態に係る足拭きマットを広告媒体とする広告方法の説明図である。
【図２】本発明の他の実施形態に係る足拭きマットを広告媒体とする広告方法の説明図である。
【図３】異なる内容の足拭きマットを複数の設置場所に定期的に循環移動する設置方法の説明図である。
【図４】足拭きマットを広告媒体とする広告方法をビジネスモデル化したシステム図である。
【図５】（Ａ）、（Ｂ）は、視認可能な一方向の向きに広告が掲載された広告付き足拭きマットを通行者の流れに対応して設置した状態を示す説明図である。
【符号の説明】
Ａ                足拭きマット事業体
Ｂ                広告主
Ｃ                設置場所提供者
Ｍ                広告付き足拭きマット
Ｍ１〜Ｍ４        広告付き足拭きマット
ＰＢ              携帯端末
ＰＣ１〜ＰＣ      端末